(57)【要約】【課題】  身体部位の形状に応じた適切な力で当該身体部位をマッサージすることができるマッサージバッグを提供する。【解決手段】  マッサージバッグ５０の内部空間を、流体が導入される膨張領域と、流体が導入されない非膨張領域とに仕切る。例えば、足１００における甲周辺のマッサージを行うための甲用のマッサージバッグ５１においては、甲の内側に配される甲部第一領域５１ａと、甲の外側に配される甲部第二領域５１ｂを膨張領域とするとともに、親指の付根付近に配される甲部第三領域５１ｃを非膨張領域とする。また、足１００における踵周辺のマッサージを行うための踵用のマッサージバッグ５２においては、踵の内側に配される踵部第一領域５２ａと、踵の外側に配される踵部第二領域５２ｂを膨張領域とするとともに、踵の後側に配される踵部第三領域５２ｃ，５２ｄを非膨張領域とする。【選択図】図３
2015073774.tif 000002
【特許請求の範囲】
【請求項１】
流体圧によって膨張して対象者の身体部位を押圧するマッサージバッグであって、
その内部空間が、流体が導入される膨張領域と、流体が導入されない非膨張領域とに仕切られたことを特徴とするマッサージバッグ。
【請求項２】
その外面を形成する一方の面状部と他方の面状部とが所定箇所で互いに固着されることにより、その内部空間が複数の領域に仕切られ、
当該複数の領域のうち一部の領域が膨張領域とされ、他の領域が非膨張領域とされた請求項１記載のマッサージバッグ。
【請求項３】
その内部空間が、
対象者の足の甲の内側に配される甲部第一領域と、
対象者の足の甲の外側に配される甲部第二領域と、
対象者の足の親指付根付近に配される甲部第三領域と、
に仕切られるとともに、
甲部第一領域と甲部第二領域が膨張領域とされて、甲部第三領域が非膨張領域とされた請求項２記載のマッサージバッグ。
【請求項４】
その内部空間が、
対象者の足の踵の内側に配される踵部第一領域と、
対象者の足の踵の外側に配される踵部第二領域と、
対象者の足の踵の後側に配される踵部第三領域と
に仕切られるとともに、
踵部第一領域と踵部第二領域が膨張領域とされて、踵部第三領域が非膨張領域とされた請求項２記載のマッサージバッグ。
【請求項５】
請求項１〜４いずれか記載のマッサージバッグを備えたマッサージ装置。
【請求項６】
対象者の左足及び右足を挿入するための左右一対の足挿入口が上面に設けられた箱状のケースを備え、
当該ケースの内部空間は、左足を収容するための左足収容空間と、右足を収容するための右足収容空間とに仕切られるとともに、
左足収容空間に、左足をマッサージするための左足用のマッサージバッグが設けられて、
右足収容空間に、右足をマッサージするための右足用のマッサージバッグが設けられた請求項５記載のマッサージ装置。
【請求項７】
左足用のマッサージバッグとして、左足の甲周辺をマッサージするための左甲用のマッサージバッグと、左足の踵周辺をマッサージするための左踵用のマッサージバッグとが設けられ、
右足用のマッサージバッグとして、右足の甲周辺をマッサージするための右甲用のマッサージバッグと、右足の踵周辺をマッサージするための右踵用のマッサージバッグとが設けられ、
左甲用及び右甲用のマッサージバッグのそれぞれの内部空間が、
対象者の足の甲の内側に配される甲部第一領域と、
対象者の足の甲の外側に配される甲部第二領域と、
対象者の足の親指付根付近に配される甲部第三領域と、
に仕切られて、
甲部第一領域及び甲部第二領域が膨張領域とされて、甲部第三領域が非膨張領域とされるとともに、
左踵用及び右踵用のマッサージバッグのそれぞれの内部空間が、
対象者の足の踵の内側に配される踵部第一領域と、
対象者の足の踵の外側に配される踵部第二領域と、
対象者の足の踵の後側に配される踵部第三領域と
に仕切られて、
踵部第一領域及び踵部第二領域が膨張領域とされて、踵部第三領域が非膨張領域とされた請求項６記載のマッサージ装置。
【発明の詳細な説明】
【技術分野】
【０００１】
本発明は、流体圧によって膨張して対象者の身体部位を押圧するマッサージバッグと、このマッサージバッグを用いたマッサージ装置とに関する。
【背景技術】
【０００２】
対象者の身体部位をマッサージするためのマッサージ装置としては、これまでに種々のものが提案されている。例えば、特許文献１には、対象者の足の内側と外側に配した左右一対のエアバッグを膨張させることにより、足の両側を押圧マッサージすることができるようにしたマッサージ装置が提案されている。この種の空気圧式のマッサージ装置は、複雑な起動機構を備えることなく、対象者の身体部位を適度な力で押圧することができる。
【０００３】
しかし、従来の空気圧式のマッサージ装置において、そのエアバッグは、平面視楕円状や平面視矩形状の単純な形態のものが採用されていることに加えて、その全体が膨張するものとなっていた。このため、従来の空気圧式のマッサージ装置におけるエアバッグでは、マッサージを行う身体部位の形状に応じて適切な力を加えることができないという問題があった。
【０００４】
例えば、特許文献１のマッサージ装置のように、足の内側と外側に配した左右一対のエアバッグで対象者の甲周辺をマッサージすることを想定した場合、足における突出した部分（例えば、親指の付根付近の突出した部分）は、エアバッグによって強く押圧されるものの、その周辺の部分には強い力が加わりにくくなる。このため、狙った箇所は、強くマッサージすることができない一方で、突出した部分は、強く押さえられすぎて痛みを生ずるおそれもあった。
【先行技術文献】
【特許文献】
【０００５】
【特許文献１】特開２００９−０３９５５９号公報
【発明の概要】
【発明が解決しようとする課題】
【０００６】
本発明は、上記課題を解決するためになされたものであり、マッサージを行う身体部位の形状に応じた適切な力で当該身体部位をマッサージすることができるマッサージバッグ（エアバッグなどのマッサージ用の流体バッグ）を提供するものである。また、このマッサージバッグを用いたマッサージ装置を提供することも本発明の目的である。
【課題を解決するための手段】
【０００７】
上記課題は、流体圧によって膨張して対象者の身体部位を押圧するマッサージバッグであって、その内部空間が、流体が導入される膨張領域と、流体が導入されない非膨張領域とに仕切られたことを特徴とするマッサージバッグを提供することによって解決される。このように、１つのマッサージバッグにおいて、膨張する部分と膨張しない部分とを設けることにより、マッサージを行う身体部位の形状に応じた適切な力で当該身体部位をマッサージすることが可能になる。
【０００８】
本発明のマッサージバッグにおいて、その内部空間を仕切る方法は、特に限定されないが、その外面を形成する一方の面状部（袋状に重ねられた一対のシートのうち、一方のシート）と他方の面状部（袋状に重ねられた一対のシートのうち、他方のシート）とを所定箇所で線状又は面状に互いに固着することにより、その内部空間を複数の領域に仕切ることができる。この場合、当該複数の領域のうち一部の領域が膨張領域とされ、他の領域が非膨張領域とされる。
【０００９】
マッサージバッグにおける膨張領域と非膨張領域の区割りは、そのマッサージバッグがマッサージを行う身体部位に応じて適宜決定される。例えば、マッサージバッグを対象者の足の甲周辺をマッサージするものとする場合には、マッサージバッグの内部空間を、対象者の足の甲の内側に配される甲部第一領域と、対象者の足の甲の外側に配される甲部第二領域と、対象者の足の親指付根付近に配される甲部第三領域とに仕切るとともに、甲部第一領域と甲部第二領域を膨張領域とし、甲部第三領域を非膨張領域とすると好ましい。これにより、甲の内側と外側を強い力でマッサージしながらも、親指付根周辺の突出した部分に強い力が加えられないようにすることが可能になる。
【００１０】
また、マッサージバッグを対象者の足の踵周辺をマッサージするものとする場合には、マッサージバッグの内部空間を、対象者の足の踵の内側に配される踵部第一領域と、対象者の足の踵の外側に配される踵部第二領域と、対象者の足の踵の後側に配される踵部第三領域とに仕切るとともに、踵部第一領域と踵部第二領域を膨張領域とし、踵部第三領域を非膨張領域とすると好ましい。これにより、踵の内側と外側を強い力でマッサージしながらも、踵の後側の突出した部分に強い力が加えられないようにすることが可能になる。
【００１１】
ところで、上記課題は、上記のマッサージバッグを備えたマッサージ装置を提供することによっても解決される。マッサージ装置としては、対象者の足をマッサージするための足用のマッサージ装置のほか、脚をマッサージするための脚用のマッサージ装置や、手をマッサージするための手用のマッサージ装置や、腕をマッサージするための腕用のマッサージ装置や、肩をマッサージするための肩用のマッサージ装置や、首をマッサージするための首用のマッサージ装置や、背中をマッサージするための背中用のマッサージ装置や、腰をマッサージするための腰用のマッサージ装置などが例示される。特に、足は、親指の付根周辺や踵の後側や踝などに局所的に突出した部分が存在するため、本発明のマッサージ装置は、足用のマッサージ装置として好適に使用できる。
【００１２】
本発明のマッサージ装置を足用のものとする場合、その形態は、特に限定されないが、対象者の左足及び右足を挿入するための左右一対の足挿入口が上面に設けられた箱状のケースを備えものとし、当該ケースの内部空間を、左足を収容するための左足収容空間と、右足を収容するための右足収容空間とに仕切るとともに、左足収容空間に、左足をマッサージするための左足用のマッサージバッグが設けられて、右足収容空間に、右足をマッサージするための右足用のマッサージバッグが設けられたものとすると好ましい。これにより、足用のマッサージ装置をシンプルな見た目とすることができる。また、後述するように、ケースの高さを抑えることで、マッサージ装置をソファの下側空間に収能可能なものとすることもできる。さらに、後述するように、棒状脚部を別途設けることで、マッサージ装置をスツールとして使用したり、マッサージ装置を傾斜させて使用したりすることも可能になる。
【発明の効果】
【００１３】
以上のように、本発明によって、マッサージを行う身体部位の形状に応じた適切な力で当該身体部位をマッサージすることができるマッサージバッグを提供することが可能になる。また、このマッサージバッグを用いたマッサージ装置を提供することも可能になる。
【図面の簡単な説明】
【００１４】
【図１】本発明に係るマッサージ装置を示した斜視図である。
【図２】本発明に係るマッサージ装置の内部構造を示した断面図である。
【図３】本発明に係るマッサージバッグで対象者の足をマッサージしている様子を示した斜視図である。
【図４】図３に示した甲用のマッサージバッグのＹ−Ｙ断面図である。
【図５】図３に示した踵用のマッサージバッグのＺ−Ｚ断面図である。
【図６】図３に示した甲用のマッサージバッグを水平面上で広げた状態を示した平面図である。
【図７】図３に示した踵用のマッサージバッグを水平面上で広げた状態を示した平面図である。
【発明を実施するための形態】
【００１５】
１．マッサージ装置の概要
本発明のマッサージ装置の好適な実施態様について、図面を用いてより具体的に説明する。以下においては、対象者の足をマッサージする足用のマッサージ装置を例に挙げて本発明のマッサージ装置を説明するが、本発明の技術的範囲は、足用のものに限定されず、手など、他の身体部位をマッサージするものも含まれる。図１は、本発明に係るマッサージ装置を示した斜視図である。図２は、本発明に係るマッサージ装置の内部構造を示した断面図である。
【００１６】
本実施態様のマッサージ装置は、図１又は図２に示すように、箱状のケース１０（図１）と、電力を導入するための電気ケーブル付き電源プラグ２０（図１）と、ケース１０の内部に設けられたマッサージバッグ５０（図２）と、マッサージバッグ５０の動作を制御するための制御手段６０（図２）と、制御手段６０からの指令に基づいてマッサージバッグ５０へ流体を供給するポンプ（図示省略）と、対象者の足を加温するための加温手段７０（図２）とを備えたものとなっている。以下、このマッサージ装置の各部について順に説明する。
【００１７】
２．ケース
本実施態様のマッサージ装置において、ケース１０は、図２に示すように、ケース構造材１０ａと、ケース構造材１０ａの外面又は内面における所定箇所を覆う緩衝材１０ｄと、ケース構造材１０ａの外面に貼り付けられた緩衝材１０ｄのさらに外面を覆う表皮材１０ｅとで構成されている。ケース構造材１０ａは、天板部１０ａ１、側板部１０ａ２、底板部１０ａ３及び中板部１０ａ４を有する直方体状のものとなっている。ケース構造材１０ａの内部空間は、中板部１０ａ４によって、上側の足収容空間１０ｂと、下側の制御手段収容空間１０ｃとに仕切られた状態となっている。足収容空間１０ｂは、図示省略の仕切壁によって、左右に仕切られており、左側の足収容空間１０ｂ（左足収容空間）には左足の足先を、右側の足収容空間１０ｂ（右足収容空間）には右足の足先を収容することができるようになっている。図５では、左側の足収容空間１０ｂ（左足収容空間）を示している。図示していない右側の足収容空間１０ｂ（右足収容空間）については、左側の足収容空間１０ｂ（左足収容空間）と左右対称である。
【００１８】
ケース構造材１０ａにおける天板部１０ａ１の手前側には、図２に示すように、足挿入口１１が設けられており、この足挿入口１１から足収容空間に足先１００を挿入することができるようになっている。本実施態様のマッサージ装置において、足挿入口１１は、ケース１０の上面において左右一対に現れるように設けている（図１を参照）。また、ケース構造材１０ａの底板部１０ａ３における中央部には、開口部が設けられており、該開口部から制御手段収容空間１０ｃの内部に、制御手段６０や加温手段７０を収容して固定することができるようになっている。この開口部は、最終的に、表皮材１０ｅによって塞がれる。ケース構造材１０ａの素材は、必要な強度を発揮できるのであれば特に限定されない。ケース構造材１０ａの素材としては、硬質プラスチックや木材や金属などが例示される。マッサージ装置を軽量化して持ち運びしやすくすることや、その製造コストなどを考慮すると、ケース構造材１０ａは、硬質プラスチックで形成すると好ましい。
【００１９】
緩衝材１０ｄは、図２に示すように、天板部１０ａ１の上面と側板部１０ａ２の外面だけでなく、天板部１０ａ１の下面や、側板部１０ａ２の内面や、中板部１０ａ４の上面や、左足収容空間１０ｂと右足収容空間１０ｂとを仕切る仕切壁（図示省略）の両面にも緩衝材１０ｄを設けている。このように、足収容空間１０ｂに収容された足先１００が接触する可能性がある部分を緩衝材１０ｄで覆うことにより、対象者の足先１００を保護することが可能になる。図２において、中板部１０ａ４の上面の緩衝材１０ｄは、厚さが均一となっているが、場所によって厚さを変える（中板部１０ａ４の上面の緩衝材１０ｄの上面に段差を設ける）ことも好ましい。これにより、中板部１０ａ４の上面の緩衝材１０ｄを、対象者の踵を保持しやすくするなど、足裏に沿った形状とすることが可能になる。
【００２０】
ところで、本実施態様のマッサージ装置においては、図２に示すように、天板部１０ａ１における足の甲を押さえ付ける部分（図２におけるＡ部）における緩衝材１０ｄは、特に厚く形成している。これにより、マッサージバッグ５０が膨張したことよって対象者の足が浮き上がって対象者の足の甲が天板部１０ａ１に押し当たった場合であっても、対象者が足の甲に痛みを感じないようにすることができるだけでなく、Ａ部で対象者の足１００が浮き上がらないように押さえるけることにより、マッサージ効果をより高めることが可能になる。緩衝材１０ｄの素材は、上述した通り、特に限定されないが、本実施態様のマッサージ装置においては、ポリウレタンの発泡体からなる厚手のシート材を使用している。Ａ部における緩衝材１０ｄの厚さは、特に限定されないが、緩衝性を高めるためには、通常、３ｍｍ以上とされる。特に、Ａ部における緩衝材１０ｄの厚さは、５ｍｍ以上とすると好ましく、７ｍｍ以上とするとより好ましく、１０ｍｍ以上とするとさらに好ましい。緩衝材１０ｄの厚さに特に上限はないが、通常、２０〜３０ｍｍ程度までである。
【００２１】
表皮材１０ｅは、図２に示すように、ケース１０の外面における足挿入口１１が設けられた以外の部分を覆っている。これにより、足用マッサージの外観をよくすることが可能になるだけでなく、肌触りの良いものとすることができる。表皮材１０ｅの素材は、特に限定されないが、通常、天然繊維や合成繊維などからなる生地が用いられる。表皮材１０ｅには、柄や模様を施してもよい。また、ケース１０の底面を覆う表皮材１０ｅは、目につきにくいため、他の部分を覆う表皮材１０ｅと生地を切り替えてシンプルなものとすることもできる。
【００２２】
ケース１０には、図１に示すように、ケース１０における手前側（マッサージ装置の使用者から見て手前側）となる側面に、操作ボタン１４と、電源接続部１５と、ポケット１６と、非常停止ボタン１７とが設けられている。操作ボタン１４は、マッサージバッグ５０の動作を起動又は停止するためのものである。マッサージバッグ５０の動作モードを切り替えることができるようにする場合や、加温手段７０を設ける場合などには、動作モードの切替ボタンや加温手段７０の操作ボタンなどもこの周辺に設けることができる。また、電源接続部１５は、電気ケーブル付き電源プラグ２０のピン状プラグを差し込むための部分となっている。さらに、非常停止ボタン１７は、故障などによってマッサージバッグ５０が誤動作した場合などに、マッサージバッグ５０を強制的に停止させるためのものとなっている。さらにまた、ポケット１６は、非常停止ボタン１７及びそれをケース１０に接続するケーブルを収納するためのものとなっている。この他、本実施態様のマッサージ装置では、ケース１０における奥側となる側面に、把手１８を設けており、マッサージ装置を持ち運びしやすくしている。
【００２３】
ケース１０の底面における四隅部には、図１に示すように、高さ１０〜２０ｍｍ程度のゴム製の低脚部１２を設けている。この低脚部１２は、マッサージ装置を床に対して水平に設置して使用する場合（図１）や、マッサージ装置を床に対して傾斜させて設置して使用する場合（例えば、ケースの奥側が高く手前側が低くなるように傾斜させて使用する場合）などに、マッサージ装置が床に対して滑らないようにしたり、マッサージ装置の安定感を高めたり、床に傷が付くのを防止したりするなどの機能を有している。ケース１０の底面における四隅部には、棒状脚部取付孔１３を設けることも好ましい。この棒状脚部取付孔１３に、図示省略の棒状脚部（通常、長さ（高さ）が１５〜３０ｃｍ程度とされる。）を螺合することにより、ケース１０をスツールとして利用したり、ケース１０を傾斜させて使用したりすることなどが可能になる。ケース１０をスツールとして利用できるようにする場合には、図示省略の閉塞部材などで足挿入口１１を塞ぐことができるようにしてもよい。
【００２４】
ケース１０の寸法は、特に限定されないが、ソファの下側の空間などに収納できるようにすることなどを考慮すると、２５ｃｍ以下とすると好ましい。ケース１０の高さは、２２ｃｍ以下であるとより好ましく、２０ｃｍ以下であるとさらに好ましい。一方、ケース１０を低くしすぎると、足収容空間１０ｃを確保できなくなる。このため、ケース１０の高さは、通常、１０ｃｍ以上とされる。また、ケース１０の縦幅や横幅も特に限定されないが、足収容空間１０ｃを確保することに加えて、収納のしやすさや持ち運びのしやすさなどを考慮すると、それぞれ３０〜６０ｃｍ程度とすると好ましい。本実施態様のマッサージ装置において、ケース１０の高さは１８ｃｍ、縦幅は３８ｃｍ、横幅は４５ｃｍとなっている。
【００２５】
３．電気ケーブル付き電源プラグ
電気ケーブル付き電源プラグ２０は、制御手段６０や加温手段などに電力を供給するためのものとなっている。電気ケーブル付き電源プラグ２０としては、家庭で一般的に使用されるものを採用している。
【００２６】
４．マッサージバッグ
図３は、本発明に係るマッサージバッグ５０で対象者の足１００をマッサージしている様子を示した斜視図である。マッサージバッグ５０は、図３に示すように、その袋状に形成された部分が膨張と収縮を繰り返すことにより、対象者の足１００をマッサージ（押圧マッサージ）するものとなっている。すなわち、マッサージバッグ５０は、その袋状の部分に流体を導入してその流体圧を高めると（流体を導入すると）膨張する一方、その袋状の部分から流体を送出してのその流体圧を低くすると（流体を送出すると）収縮する。マッサージバッグ５０に導入する流体は、気体又は液体のいずれも用いることができるが、通常、気体が用いられ、特に、空気が用いられる。
【００２７】
マッサージバッグ５０の素材は、可撓性を有するものであれば特に限定されないが、通常、樹脂シートが用いられる。本実施態様のマッサージ装置においては、熱可塑性ポリウレタン（ＴＰＵ）ラミネート素材からなる樹脂シートを袋状に形成することによってマッサージバッグ５０を形成している。樹脂シートを袋状に形成する具体的な方法については、後で詳しく説明する。
【００２８】
マッサージバッグ５０は、ケース１０（図２）における左足収容空間１０ｂと右足収容空間１０ｂにそれぞれ収容される。以下においては、左足用の（左足収容空間１０ｂに収容される）マッサージバッグ５０を中心に説明し、右足用の（右足収容空間１０ｂに収容される）マッサージバッグ５０についての説明を割愛する。しかし、右足用のマッサージバッグ５０は、左足用のマッサージバッグ５０と左右対称である。このため、左足用のマッサージバッグ５０で説明した構成は、その左右を反転させることにより、右足用のマッサージバッグ５０においても採用することができる。
【００２９】
本実施態様のマッサージ装置において、左足用のマッサージバッグ５０は、図３に示すように、２つのマッサージバッグ５０（左甲用のマッサージバッグ５１及び左踵用のマッサージバッグ５２）で構成されている。左甲用のマッサージバッグ５１は、左足の甲周辺をマッサージするためのものとなっており、図４に示すように、対象者の左足１００における甲内側から足裏を経て甲外側に至る部分に配されている。図４は、図３に示した甲用のマッサージバッグ５１のＹ−Ｙ断面図である。一方、左踵用のマッサージバッグ５２は、対象者の左足１００における踵周辺をマッサージするためのものとなっており、図５に示すように、対象者の左足１００における踵内側から踵後側を経て踵外側に至る部分に配されている。図５は、図３に示した踵用のマッサージバッグ５２のＺ−Ｚ断面図である。
【００３０】
左甲用のマッサージバッグ５１は、図３及び図４に示すように、対象者の左足１００の甲の内側に配される甲部第一領域５１ａと、対象者の左足１００の甲の外側に配される甲部第二領域５１ｂと、対象者の左足１００の親指付根付近に配される甲部第三領域５１ｃと、対象者の左足１００の裏側に配される甲部第四領域５１ｄとで構成されている。左甲用のマッサージバッグ５１の内部空間は、甲部第一領域５１ａと甲部第二領域５１ｂと甲部第三領域５１ｃと甲部第四領域５１ｄとで仕切られた状態となっており、異なる領域の間では、流体が往来できないようになっている。
【００３１】
各領域５１ａ，５１ｂ，５１ｃ，５１ｄのうち、甲部第一領域５１ａと甲部第二領域５１ｂは、流体が導入又は送出される膨張領域となっており、甲部第三領域５１ｃと甲部第四領域５１ｄは、流体が導入又は送出されない非膨張領域となっている。すなわち、左甲用のマッサージバッグ５１は、図４に示すように、甲部第一領域５１ａと甲部第二領域５１ｂのみが膨張収縮するようになっている。膨張領域である甲部第一領域５１ａと甲部第二領域５１ｂには、流体を導入又は送出するための流体導出口（図示省略）がそれぞれ設けられる。流体導出口は、対象者の足１００のマッサージの邪魔にならない場所に配される。
【００３２】
左甲用のマッサージバッグ５１の成形方法や、各領域５１ａ，５１ｂ，５１ｃ，５１ｄの区割りは、特に限定されない。本実施態様のマッサージ装置においては、図６に示すように、同一の矩形状に裁断された２枚のシート（図６では紙面手前側の１枚のシートのみ図示）を重ね、その周縁部Ｑ１−Ｑ２−Ｑ３−Ｑ４と分割線部Ｑ５−Ｑ８，Ｑ６−Ｑ７，Ｑ９−Ｑ１０とで、前記２枚のシートを互いに固着することにより、独立した袋状の複数の空間（領域５１ａ，５１ｂ，５１ｃ，５１ｄ）を形成している。図６は、図３に示した甲用のマッサージバッグ５１を水平面上で広げた状態を示した平面図である。シートを固着する方法は、特に限定されないが、本実施態様のマッサージ装置のように、マッサージバッグ５１を樹脂シートで形成する場合には、溶着を採用すると簡単である。
【００３３】
同様の区割りは、上記のように２枚のシートを重ねた場合だけでなく、矩形状に裁断された１枚のシートを半分に（図６に示される４つの辺Ｑ１−Ｑ２，Ｑ２−Ｑ３，Ｑ３−Ｑ４，Ｑ４−Ｑ１のうち１辺が折り返し線に一致するように）折り返した後、残りの３つの辺に沿った部分と分割線部Ｑ５−Ｑ８，Ｑ６−Ｑ７，Ｑ９−Ｑ１０とで、シートの重なった部分を互いに固着することによっても実現できる。また、筒状に形成された１枚のシートをその径方向に押し潰した後、開口端縁に沿った部分と分割線部Ｑ５−Ｑ８，Ｑ６−Ｑ７，Ｑ９−Ｑ１０とで、シートの重なった部分を互いに固着することによっても実現できる。
【００３４】
図６の左甲用のマッサージバッグ５１においては、点Ｑ１，Ｑ９，Ｑ１０，Ｑ８，Ｑ４で囲まれた五角形状の領域が甲部第一領域５１ａとなり、点Ｑ６，Ｑ２，Ｑ３，Ｑ７で囲まれた四角形状の領域が甲部第二領域５１ｂとなり、点Ｑ９，Ｑ５，Ｑ１０で囲まれた三角形状の領域が甲部第三領域５１ｃとなり、点Ｑ５，Ｑ６，Ｑ７，Ｑ８で囲まれた四角形状の領域が甲部第四領域５１ｄとなっている。甲部第三領域５１ｃは、図３に示すように、対象者の左足１００における親指付根付近の突出した部分（より正確には、第一基節骨と第一中足骨との関節付近の突出した部分）に重なるようになっている。以上で説明した左甲用のマッサージバッグ５１の区割りは、飽くまで一例であり、適宜変更を施すことができる。
【００３５】
このように、対象者の左足１００における甲の内側と外側に配される甲部第一領域５１ａと甲部第二領域５１ｂとを膨張領域とするとともに、対象者の左足１００の親指付根付近の突出した部分に重なる甲部第三領域５１ｃを非膨張領域とすることにより、甲の内側と外側を強く押圧して、リンパ腺を刺激するツボなどを気持ちよく刺激しながらも、親指の付根付近が押さえ付けられないようにすることが可能になっている。本実施態様のマッサージ装置においては、甲部第四領域５１ｄは、非膨張領域としているが、足裏を押圧マッサージしたい場合などには、甲部第四領域５１ｄを膨張領域としてもよい。
【００３６】
左踵用のマッサージバッグ５２は、図３及び図５に示すように、対象者の左足１００の踵の内側に配される踵部第一領域５２ａと、対象者の左足１００の踵の外側に配される踵部第二領域５２ｂと、対象者の左足１００の踵の後側に配される踵部第三領域５２ｃ，５２ｄとで構成されている。本実施態様のマッサージ装置において、踵部第三領域５２ｃ，５２ｄは、さらに二つの領域５２ｃ，５２ｄに分かれている。左踵用のマッサージバッグ５２の内部空間は、踵部第一領域５２ａと踵部第二領域５２ｂと踵部第三領域５２ｃと踵部第三領域５２ｄとで仕切られた状態となっており、異なる領域の間では、流体が往来できないようになっている。
【００３７】
各領域５２ａ，５２ｂ，５２ｃ，５２ｄのうち、踵部第一領域５２ａと踵部第二領域５２ｂは、流体が導入又は送出される膨張領域となっており、踵部第三領域５２ｃ，５２ｄは、流体が導入又は送出されない非膨張領域となっている。すなわち、左踵用のマッサージバッグ５２は、図５に示すように、踵部第一領域５２ａと踵部第二領域５２ｂのみが膨張収縮するようになっている。膨張領域である踵部第一領域５２ａと踵部第二領域５２ｂには、流体を導入又は送出するための流体導出口（図示省略）がそれぞれ設けられる。流体導出口は、対象者の足１００のマッサージの邪魔にならない場所に配される。
【００３８】
左踵用のマッサージバッグ５２の成形方法や、各領域５２ａ，５２ｂ，５２ｃ，５２ｄの区割りは、特に限定されない。本実施態様のマッサージ装置においては、図７に示すように、同一の矩形状に裁断された２枚のシート（図６では紙面手前側の１枚のシートのみ図示）を重ね、その周縁部Ｐ１−Ｐ２−Ｐ３−Ｐ４と分割線部Ｐ５−Ｐ６，Ｐ７−Ｐ８，Ｐ７−Ｐ９とで、前記２枚のシートを互いに固着することにより、独立した袋状の複数の空間（領域５２ａ，５２ｂ，５２ｃ，５２ｄ）を形成している。図７は、図３に示した踵用のマッサージバッグ５２を水平面上で広げた状態を示した平面図である。シートを固着する方法は、特に限定されないが、本実施態様のマッサージ装置のように、マッサージバッグ５１を樹脂シートで形成する場合には、溶着を採用すると簡単である。
【００３９】
同様の区割りは、上記のように２枚のシートを重ねた場合だけでなく、矩形状に裁断された１枚のシートを半分に（図７に示される４つの辺Ｐ１−Ｐ２，Ｐ２−Ｐ３，Ｐ３−Ｐ４，Ｐ４−Ｐ１のうち１辺が折り返し線に一致するように）折り返した後、残りの３つの辺に沿った部分と分割線部Ｐ５−Ｐ６，Ｐ７−Ｐ８，Ｐ７−Ｐ９とで、シートの重なった部分を互いに固着することによっても実現できる。また、筒状に形成された１枚のシートをその径方向に押し潰した後、開口端縁に沿った部分と分割線部Ｐ５−Ｐ６，Ｐ７−Ｐ８，Ｐ７−Ｐ９とで、シートの重なった部分を互いに固着することによっても実現できる。
【００４０】
図７の左踵用のマッサージバッグ５２においては、点Ｐ１，Ｐ５，Ｐ７，Ｐ８，Ｐ４で囲まれた五角形状の領域が踵部第一領域５２ａとなり、点Ｐ２，Ｐ５，Ｐ７，Ｐ９，Ｐ３で囲まれた五角形状の領域が踵部第二領域５２ｂとなり、点Ｐ７，Ｐ６，Ｐ８で囲まれた三角形状の領域が踵部第三領域５２ｃとなり、点Ｐ７，Ｐ６，Ｐ９で囲まれた三角形状の領域が踵部第三領域５２ｄとなっている。踵部第三領域５２ｃ，５２ｄは、図３に示すように、対象者の左足１００における踵の後側へ突出した部分に重なるようになっている。以上で説明した左踵用のマッサージバッグ５２の区割りは、飽くまで一例であり、適宜変更を施すことができる。
【００４１】
このように、対象者の左足１００における踵の内側と外側に配される踵部第一領域５２ａと踵部第二領域５２ｂとを膨張領域とするとともに、対象者の左足１００の踵の後側に重なる踵部第三領域５２ｃ，５２ｄを非膨張領域とすることにより、踵の内側と外側を強く押圧しながらも、踵の後が押さえ付けられないようにすることが可能になっている。
【００４２】
ところで、本実施態様のマッサージ装置においては、左足用のマッサージバッグ５０を、左甲用のマッサージバッグ５１と左踵用のマッサージバッグ５２とで構成する場合について説明したが、いずれか一方のみのマッサージバッグ５０で構成してもよい。また、左甲用のマッサージバッグ５１と左踵用のマッサージバッグ５２以外の他のマッサージバッグ５０で構成してもよい。
【００４３】
５．制御手段
制御手段６０（図２）は、マッサージバッグ５０へ流体を導入又はマッサージバッグ５０から流体を送出するタイミングや、加温手段７０の起動停止又は温度などを制御するためのものとなっている。制御手段６０としては、各種の電気回路や、マイクロコントローラなどを使用することができる。
【００４４】
６．ポンプ
ポンプ６０は、制御手段６０からの指令に基づいて、マッサージバッグ５０へ流体を供給するためのものとなっている。ポンプ６０は、従来の空気圧式のマッサージ装置などで用いられているポンプを採用することができる。
【００４５】
７．加温手段
加温手段７０（図２）は、足収容空間１０ｂを暖めるためのものとなっている。これにより、冬期などの寒い時期であっても、対象者が寒さを感ずることなく足１００のマッサージを行うことが可能になる。加温手段７０は、足収容空間１０ｂを暖めることができるものであれば、特に限定されない。加温手段７０としては、電気を流すと発熱する電熱線（ニクロム線材や炭素線材など）を樹脂フィルムなどで被覆した発熱マットなどが例示される。
【符号の説明】
【００４６】
１０      ケース
１０ａ    ケース構造材
１０ａ１  天板部
１０ａ２  側板部
１０ａ３  底板部
１０ａ４  中板部
１０ｂ    足収容空間（左足収容空間及び右足収容空間）
１０ｃ    制御手段収容空間
１０ｄ    緩衝材
１０ｅ    表皮材
１１      足挿入口（左足挿入口及び右足挿入口）
１２      低脚部
１３      棒状脚部取付孔
１４      操作ボタン
１５      電源接続部
１６      ポケット
１７      非常停止ボタン
１８      把手
２０      電気ケーブル付き電源プラグ
５０      マッサージバッグ
５１      左甲用のマッサージバッグ（甲用のマッサージバッグ）
５１ａ  甲部第一領域
５１ｂ  甲部第二領域
５１ｃ  甲部第三領域
５１ｄ  甲部第四領域
５２      左踵用のマッサージバッグ（踵用のマッサージバッグ）
５２ａ  踵部第一領域
５２ｂ  踵部第二領域
５２ｃ  踵部第三領域
５２ｄ  踵部第三領域
６０      制御手段
７０      加温手段
１００      左足（足）
Ａ      対象者の足の甲を押さえ付ける部分
【図１】
2015073774.tif 000003
【図２】
2015073774.tif 000004
【図３】
2015073774.tif 000005
【図４】
2015073774.tif 000006
【図５】
2015073774.tif 000007
【図６】
2015073774.tif 000008
【図７】
2015073774.tif 000009